(57)【要約】【課題】電源のＯＮ操作およびＯＦＦ操作の操作性が良好な折畳式携帯電話の提供。【解決手段】中間部分の連結部１５を中心に折り畳まれるとともに、連結部１５に対し一側に表示画面が設けられ、連結部１５に対し逆側に操作入力部が設けられて、折畳時にこれら表示画面および操作入力部が対向状態となる折畳式携帯電話において、折り畳まれた状態で露出する部分に電源のＯＮおよびＯＦＦの切り替え操作が入力されるＯＮ・ＯＦＦ操作部５６が設けられている。【選択図】　　　　図１
2004112430.tif 000002
【特許請求の範囲】
【請求項１】
中間部分の連結部を中心に折り畳まれるとともに、前記連結部に対し一側に表示画面が設けられ、前記連結部に対し逆側に操作入力部が設けられて、折畳時にこれら表示画面および操作入力部が対向状態となる折畳式携帯電話において、
折り畳まれた状態で露出する部分に電源のＯＮおよびＯＦＦの切り替え操作が入力されるＯＮ・ＯＦＦ操作部が設けられていることを特徴とする折畳式携帯電話。
【請求項２】
前記ＯＮ・ＯＦＦ操作部は一つの操作部材の位置相違により電源のＯＮ状態とＯＦＦ状態とを切り替えることを特徴とする請求項１記載の折畳式携帯電話。
【請求項３】
折り畳まれた状態で露出する部分に、少なくとも着信音の発生を制限するマナーモードの設定操作および設定解除操作が入力されるマナーモード設定操作部が設けられていることを特徴とする請求項１または２記載の折畳式携帯電話。
【請求項４】
前記ＯＮ・ＯＦＦ操作部および前記マナーモード設定操作部は一つの共用の操作部材を有しており、該操作部材の位置相違により電源ＯＮかつマナーモード以外の状態と、電源ＯＮかつマナーモードの状態と、電源ＯＦＦの状態とを切り替えることを特徴とする請求項３記載の折畳式携帯電話。
【請求項５】
前記操作部材には突起部が設けられていることを特徴とする請求項２または請求項４記載の折畳式携帯電話。
【請求項６】
前記操作部材は回転可能な円形型のダイヤル部材であることを特徴とする請求項５記載の折畳式携帯電話。
【発明の詳細な説明】
【０００１】
【発明の属する技術分野】
本発明は、折畳式携帯電話に関するものである。
【０００２】
【従来の技術】
携帯電話として、中間部分の連結部を中心に折り畳まれるとともに、連結部に対し一側に表示画面が設けられ、連結部に対し逆側に操作入力部が設けられて、折畳時にこれら表示画面および操作入力部が対向状態となる折畳式携帯電話がある（例えば特許文献１参照）。
【０００３】
【特許文献１】
特開２００１−１３６２４８号公報
【０００４】
上記のような折畳式携帯電話は、一般に上記した操作入力部内、すなわち折り畳まれた状態で隠れる部分に電源のＯＮおよびＯＦＦの切り替え操作が入力されるＯＮ・ＯＦＦ操作部が設けられている。
【０００５】
【発明が解決しようとする課題】
折畳式携帯電話において、上記のように折り畳まれた状態で隠れる部分に電源のＯＮ・ＯＦＦ操作部が設けられていると、例えば電車への昇降時等において、電源をＯＮする際およびＯＦＦする際に、閉じた状態から一々開いて操作し、さらに再び閉じるという動作を行わなければならず、操作が面倒であるという問題があった。
【０００６】
したがって、本発明は、電源のＯＮ操作およびＯＦＦ操作の操作性が良好な折畳式携帯電話の提供を目的とする。
【０００７】
【課題を解決するための手段】
上記目的を達成するために、請求項１に係る発明は、中間部分の連結部を中心に折り畳まれるとともに、前記連結部に対し一側に表示画面が設けられ、前記連結部に対し逆側に操作入力部が設けられて、折畳時にこれら表示画面および操作入力部が対向状態となる折畳式携帯電話において、折り畳まれた状態で露出する部分に電源のＯＮおよびＯＦＦの切り替え操作が入力されるＯＮ・ＯＦＦ操作部が設けられていることを特徴としている。
【０００８】
このように、折り畳まれた状態で外部に露出する部分に電源のＯＮおよびＯＦＦの切り替え操作が入力されるＯＮ・ＯＦＦ操作部が設けられているため、電源をＯＮする際およびＯＦＦする際に、開閉させる必要が無く、よって操作が面倒にならない。
【０００９】
請求項２に係る発明は、請求項１に係る発明に関して、前記ＯＮ・ＯＦＦ操作部は一つの操作部材の位置相違により電源のＯＮ状態とＯＦＦ状態とを切り替えることを特徴としている。
【００１０】
このように、一つの操作部材の位置相違により電源のＯＮ状態とＯＦＦ状態とを切り替えるため、視認しなくても操作部材の位置を触知することで電源の状態を確認することができる。
【００１１】
請求項３に係る発明は、請求項１または２に係る発明に関して、折り畳まれた状態で露出する部分に、少なくとも着信音の発生を制限するマナーモードの設定操作および設定解除操作が入力されるマナーモード設定操作部が設けられていることを特徴としている。
【００１２】
このように、折り畳まれた状態で露出する部分に、少なくとも着信音の発生を制限するマナーモードの設定操作および設定解除操作が入力されるマナーモード設定操作部が設けられているため、電源のＯＮおよびＯＦＦの切り替えに加えて、マナーモードの設定の際および設定を解除する際に、開閉させる必要が無く、よって操作が面倒にならない。
【００１３】
請求項４に係る発明は、請求項３に係る発明に関して、前記ＯＮ・ＯＦＦ操作部および前記マナーモード設定操作部は一つの共用の操作部材を有しており、該操作部材の位置相違により電源ＯＮかつマナーモード以外の状態と、電源ＯＮかつマナーモードの状態と、電源ＯＦＦの状態とを切り替えることを特徴としている。
【００１４】
このように、一つの操作部材の位置相違により、電源ＯＮかつマナーモード以外の状態と、電源ＯＮかつマナーモードの状態と、電源ＯＦＦの状態とを切り替えるため、視認しなくても操作部材の位置を触知することで、いずれの状態にあるか確認することができる。
【００１５】
請求項５に係る発明は、請求項２または４に係る発明に関して、前記操作部材には突起部が設けられていることを特徴としている。
【００１６】
この突起部により操作部材の位置をより確実に触知することができる。
【００１７】
請求項６に係る発明は、請求項５に係る発明に関して、前記操作部材は回転可能な円形型のダイヤル部材であることを特徴としている。
【００１８】
このように、操作部材が回転可能な円形型のダイヤル部材であるため、視認しなくても、突起部の角度を触知することで、いずれの状態にあるかを確認できる。
【００１９】
【発明の実施の形態】
本発明の一実施形態の折畳式携帯電話を図面を参照して以下に説明する。
【００２０】
本実施形態の折畳式携帯電話は、図１および図２に示すように、その外殻を構成する第１筐体（筐体）１１、第２筐体（筐体）１２および第３筐体（筐体）１３を有している。第１筐体１１と第２筐体１２とは図示せぬ連結部において互いの接合面に対し直交する軸を中心に回動可能に連結されており、第３筐体１３は第２筐体１２の第１筐体１１に対し反対側の連結部１５において第２筐体１２に対し折り畳まれるように回動可能に連結されている。
【００２１】
第１筐体１１は、第２筐体１２に対し回転することで表裏を入れ替えるようになっている。また、第２筐体１２と第３筐体１３とは、連結部１５を中心に回動することで、互いに重なり合う閉状態と互いにほぼ直線状に並ぶ開状態との間で開閉可能となっている。
【００２２】
第１筐体１１は厚さの薄い略直方体形状をなしている。第１筐体１１の厚さ方向における一側の面１７には、音声を発生させるスピーカ部１８が設けられており、厚さ方向における逆側の面１９には、ＣＣＤカメラ２０が設けられている。
【００２３】
第２筐体１２も、厚さの薄い略直方体形状をなしており、閉状態で第３筐体１３に対向することになる厚さ方向における一側の面２２に、液晶素子等からなる表示画面２３が設けられている。
【００２４】
第３筐体１３も、厚さの薄い略直方体形状をなしており、閉状態で第１筐体１１および第２筐体１２に対向する厚さ方向における一側の面２５に、主な操作入力が行われる操作入力部２６が設けられている。
【００２５】
操作入力部２６は、連結部１５側に、面２５に沿う方向に若干な角度で傾動可能なセンターキー２７を有している。このセンターキー２７は、上下左右方向に突出する十字形状をなしており、面２５に沿って上下左右に傾動可能とされ、しかも面２５に垂直な方向にも移動可能とされている。そして、これらの傾動および垂直移動で操作入力が行われるようになっている。
【００２６】
また、操作入力部２６は、センターキー２７の両側に設けられた入力キー２９，３０と、センターキー２７の下側に左右に並んで設けられた、入力された電話番号での発信を実行等するための通話入力キー３２、入力をキャンセル等するためのクリア入力キー３３および通話を切断等するための通話切断入力キー３４を有している。
【００２７】
操作入力部２６は、さらに、これらの下側に、左右３列、上下４段の合計１２個の数字、かなおよび英字等をモードに応じて入力するための入力キー４１〜５２を有している。
【００２８】
そして、第３筐体１３の面２５の連結部１５に対し反対側の端部には、音声を検出するマイク５３が設けられている。
【００２９】
以上により、本実施形態の折畳式携帯電話は、中間部分の連結部１５で折り畳まれるとともに、折畳中心である連結部１５に対し一側に表示画面２３が設けられ、連結部１５に対し逆側に操作入力部２６が設けられて、折畳時にこれら表示画面２３および操作入力部２６が対向状態となる。また、第１筐体１１は、ＣＣＤカメラ２０を第２筐体１２の表示画面２３と同面に設ける状態と表示画面２３に対し反対側に設ける状態とに回動する。
【００３０】
そして、第２筐体１２の表示画面２３に対し反対側の背面５５、すなわち折り畳まれた状態でも常に操作可能に露出する部分に、電源のＯＮおよびＯＦＦの切り替え操作と、少なくとも着信音の発生を制限するマナーモードの設定操作および設定解除操作とが入力される切替操作部（ＯＮ・ＯＦＦ操作部、マナーモード設定操作部）５６が設けられている。
【００３１】
切替操作部５６は、外部に露出するように第２筐体１２の背面５５に設けられる一つの自転式の環状の操作部材５８を有している。すなわち、操作部材５８は回転可能な円形型のダイヤル部材である。この操作部材５８の外面には、操作部材５８の半径方向に沿って延びる形状の突起部５９が設けられている。
【００３２】
そして、切替操作部５６は、操作部材５８が回転方向における第１の位置にあるとき電源をＯＦＦ状態とし、操作部材５８が第１の位置に対し時計回り方向に所定角度（具体的には４５°）ずれた第２の位置にあるとき、電源がＯＮかつマナーモードが設定された状態とし、操作部材５８が第２の位置に対し時計回り方向にさらに所定角度（具体的には４５°）ずれた第３の位置にあるとき、電源がＯＮかつマナーモードが設定されていない状態とする。すなわち、切替操作部５８は、一つの共用の操作部材５８の回転位置の位置相違により、電源ＯＮかつマナーモード以外の状態と、電源ＯＮかつマナーモードの状態と、電源ＯＦＦの状態とを切り替える回転可能な３位置の切替スイッチである。
【００３３】
ここで、第１の位置にあるとき、突起部５９は最も連結部１５に対し離れた位置に位置して左右方向に沿っており、第３の位置にあるとき、突起部５９は最も連結部１５に近接した位置に位置して上下方向に沿っていて、これらの間の第２の位置にあるとき、突起部５９は上下方向および左右方向に対し４５°傾斜する方向に沿うことになる。なお、操作部材５８は、第２の位置を経由する第１の位置と第３の位置との間でのみ回動可能となっている。また、第１〜第３の各位置における突起部５９に近接する位置には、電源がＯＦＦ状態にあること、マナーモードにあることおよび電源がＯＮ状態にあることを示す表示がそれぞれ設けられている。
【００３４】
以上に述べた本実施形態の折畳式携帯電話によれば、折り畳まれた状態で外部に露出する部分に電源のＯＮおよびＯＦＦの切り替え操作が入力される切替操作部５６が設けられているため、電源をＯＮする際およびＯＦＦする際に、筐体１１，１２と筐体１３とを開閉させる必要が無く、よって操作が面倒にならない。したがって、電源のＯＮ操作およびＯＦＦ操作の操作性が良好になる。
【００３５】
しかも、折り畳まれた状態で外部に露出する切替操作部５６には、さらにマナーモードの設定操作および設定解除操作が入力されるため、電源のＯＮおよびＯＦＦの切り替えに加えて、マナーモードの設定の際および設定を解除する際に、筐体１１，１２と筐体１３とを開閉させる必要が無く、よって操作が面倒にならない。したがって、電源のＯＮ操作およびＯＦＦ操作の操作性に加えて、マナーモードの設定操作および設定解除操作の操作性も良好になる。
【００３６】
加えて、一つの操作部材５８の位置相違により、電源のＯＮ状態とＯＦＦ状態とを切り替え、電源ＯＮの状態については、さらにマナーモード以外の状態とマナーモードの状態とを切り替えるため、視認しなくても操作部材５８の位置を触知することで電源の状態およびマナーモードの設定状態を確認することができる。したがって、衣服やカバン等に収納したままの状態で、外部に取り出すことなく、電源ＯＮかつマナーモード以外の状態と、電源ＯＮかつマナーモードの状態と、電源ＯＦＦの状態とのうちのいずれの状態にあるかを確認することができ、その上で、他の状態に切り替えることもできるため、さらに操作性に優れることになる。
【００３７】
しかも、操作部材５８の回転位置の位置相違で切り替えるため、所定時間以上操作ボタンを押す操作ボタンの長押し操作等が不要となって、さらに操作性に優れることになる。
【００３８】
さらに、突起部５９により操作部材５８の位置をより確実に触知することができる。したがって、衣服やカバン等に収納したままの状態で、外部に取り出すことなく、状態を確認できるため、より一層操作性に優れることになる。
【００３９】
加えて、操作部材５８が回転可能な円形型のダイヤル部材であるため、視認しなくても、突起部５９の角度を触知することで、いずれの状態にあるかを確認できる。したがって、突起部５９の角度を触知すれば、衣服やカバン等に収納したままの状態で、外部に取り出すことなく、電源ＯＮかつマナーモード以外の状態と、電源ＯＮかつマナーモードの状態と、電源ＯＦＦの状態とのうちのいずれの状態にあるかを確認することができ、その上で、他の状態に切り替えることもできるため、さらに操作性に優れることになる。
【００４０】
なお、以上の実施形態においては、切替操作部５６を操作部材５８が回転する回転式の切替スイッチで構成する場合を例にとり説明したが、図３に示すように、操作部材がスライドするスライド式の切替スイッチで構成しても良い。
【００４１】
この場合について説明すると、この切替操作部６１は、外部に露出するように設けられる一つのスライド式の操作部材６２を有している。この操作部材６２はスライド方向に長い形状をなしておりその長さ方向における中央位置に突起部６３が設けられている。この突起部６３は操作部材６２の幅方向に延びる形状をなしている。
【００４２】
そして、切替操作部６１は、操作部材６２が第１の位置にあるとき電源をＯＦＦ状態とし、操作部材６２が第１の位置に対し所定量ずれた第２の位置にあるとき、電源がＯＮかつマナーモードが設定されていない状態とし、操作部材６２が第２の位置に対しさらに所定量ずれた第３の位置にあるとき、電源がＯＮかつマナーモードが設定された状態とする。すなわち、切替操作部６１は、一つの共用の操作部材６２のスライド位置の位置相違により、電源ＯＮかつマナーモード以外の状態と、電源ＯＮかつマナーモードの状態と、電源ＯＦＦの状態とを切り替えるスライド可能な３位置の切替スイッチである。
【００４３】
なお、この場合も、第１〜第３の各位置における突起部６３に近接する位置には、電源がＯＦＦ状態にあること、電源がＯＮ状態にあることおよびマナーモードにあることを示す表示がそれぞれ設けられている。
また、この例では、切替操作部６１に近接してＣＣＤカメラ６４が設けられている。
【００４４】
【発明の効果】
以上詳述したように、請求項１に係る発明によれば、折り畳まれた状態で外部に露出する部分に電源のＯＮおよびＯＦＦの切り替え操作が入力されるＯＮ・ＯＦＦ操作部が設けられているため、電源をＯＮする際およびＯＦＦする際に、開閉させる必要が無く、よって操作が面倒にならない。したがって、電源のＯＮ操作およびＯＦＦ操作の操作性が良好になる。
【００４５】
請求項２に係る発明によれば、一つの操作部材の位置相違により電源のＯＮ状態とＯＦＦ状態とを切り替えるため、視認しなくても操作部材の位置を触知することで電源の状態を確認することができる。したがって、衣服やカバン等に収納したままの状態で、外部に取り出すことなく電源の状態を確認することができ、その上で電源を切り替えることもできるため、さらに操作性に優れることになる。また、操作部材の位置相違で切り替えるため、操作ボタンの長押し操作等が不要となることからも、さらに操作性に優れることになる。
【００４６】
請求項３に係る発明によれば、折り畳まれた状態で露出する部分に、少なくとも着信音の発生を制限するマナーモードの設定操作および設定解除操作が入力されるマナーモード設定操作部が設けられているため、電源のＯＮおよびＯＦＦの切り替えに加えて、マナーモードの設定の際および設定を解除する際に、開閉させる必要が無く、よって操作が面倒にならない。したがって、電源のＯＮ操作およびＯＦＦ操作の操作性に加えて、マナーモードの設定操作および設定解除操作の操作性も良好になる。
【００４７】
請求項４に係る発明によれば、一つの操作部材の位置相違により、電源ＯＮかつマナーモード以外の状態と、電源ＯＮかつマナーモードの状態と、電源ＯＦＦの状態とを切り替えるため、視認しなくても操作部材の位置を触知することで、いずれの状態にあるか確認することができる。したがって、衣服やカバン等に収納したままの状態で、外部に取り出すことなく、電源ＯＮかつマナーモード以外の状態と、電源ＯＮかつマナーモードの状態と、電源ＯＦＦの状態とのうちのいずれの状態にあるかを確認することができ、その上で、他の状態に切り替えることもできるため、さらに操作性に優れることになる。しかも、操作部材の位置相違で切り替えるため、操作ボタンの長押し操作等が不要となって、さらに操作性に優れることになる。
【００４８】
請求項５に係る発明によれば、突起部により操作部材の位置をより確実に触知することができる。したがって、より一層操作性に優れることになる。
【００４９】
請求項６に係る発明によれば、操作部材が回転可能な円形型のダイヤル部材であるため、視認しなくても、突起部の角度を触知することで、いずれの状態にあるかを確認できる。したがって、より一層操作性に優れることになる。
【図面の簡単な説明】
【図１】本発明の一実施形態の折畳式携帯電話の閉じた状態を示すもので、（ａ）は正面図、（ｂ）は平面図、（ｃ）は側面図である。
【図２】本発明の一実施形態の折畳式携帯電話の開いた状態を示す正面図である。
【図３】本発明の一実施形態の折畳式携帯電話の変形例の閉じた状態を示す正面図である。
【符号の説明】
２３　表示画面
２６　操作入力部
５６，６１　切替操作部（ＯＮ・ＯＦＦ操作部、マナーモード設定操作部）
５８，６２　操作部材
５９，６３　突起部
【図１】
2004112430.tif 000003
【図２】
2004112430.tif 000004
【図３】
2004112430.tif 000005